(57)【要約】【課題】マットレスの一端部を湾曲させたとき、利用者の背面が圧迫されるのを防止した背上げ用寝装品を提供することにある。【解決手段】マットレス３１の長手方向の一方の端部に着脱可能に保持される保持部材３３と、保持部材と一体的に設けられ保持部材をマットレスの長手方向の一方の端部に保持したときにマットレスの上面を覆い、その状態でマットレスの長手方向の他方の端部を上方に向かって湾曲させたとき、マットレスの長手方向の他方の端部側に対応する先端部側の部分が利用者の荷重を受けながらマットレスの上面に対して滑動するすべり部材３４，３５を具備する。【選択図】図２
2015213638.tif 000002
【特許請求の範囲】
【請求項１】
上面に利用者が仰臥するとともに、利用者の上半身が位置する長手方向の一端部側が上方に向かって湾曲されるマットレスの背上げ用寝装品であって、
前記マットレスの他端部側に着脱可能に保持される保持部材と、
前記保持部材と一体的に設けられ前記保持部材を前記マットレスの他端部側に保持したときに前記マットレスの上面を覆い、その状態で前記マットレスの長手方向の一端部側を上方に向かって湾曲させると、前記マットレスの長手方向の一端部側に対応する先端部側の部分が前記利用者の荷重を受けながら前記マットレスの上面に対して滑動するすべり部材と
を具備したことを特徴とするマットレスの背上げ用寝装品。
【請求項２】
前記保持部材は前記マットレスの他端部側に装着される袋状であることを特徴とする請求項１記載のマットレスの背上げ用寝装品。
【請求項３】
前記すべり部材の前記マットレスの長手方向の一端部に対応する先端にはずれ止め部材の一端が連結され、このずれ止め部材の他端部側は、前記保持部材を前記マットレスの他端部側に装着した状態で、前記マットレスの一端部の下面側に差し込まれ、前記保持部材の前記マットレスの下面を覆う部分に着脱可能に連結されることを特徴とする請求項１記載のマットレスの背上げ用寝装品。
【請求項４】
上下方向に重合された複数の前記すべり部材を有し、
重合された複数の前記すべり部材の互いに接触する上面と下面は、前記マットレスの一端部側を上方に向かって湾曲させたときにそれぞれ滑動可能な滑沢面に形成されていることを特徴とする請求項１記載のマットレスの背上げ用寝装品。
【請求項５】
上下方向に重合された複数の前記すべり部材を有し、
重合された複数の前記すべり部材は互いに接触する上面と下面がそれぞれ滑動可能な滑沢面に形成されていて、
前記ずれ止め部材の一端は、重合された複数の前記すべり部材のうちの、最も上側に位置する前記すべり止め部材の先端に連結されていることを特徴とする請求項３記載のマットレスの背上げ用寝装品。
【請求項６】
前記すべり部材は、シート状の材料によって形成された袋体、この袋体の内部に収容され前記マットレスの一端部を湾曲させたときに弾性的に湾曲する硬さを有する芯材によって形成されていることを特徴とする請求項１又は請求項４記載のマットレスの背上げ用寝装品。
【請求項７】
前記保持部材は、前記マットレスの他端部側の底面を覆う底面部、両側面を覆う一対の側面部及端面を覆う端面部を有し、
前記すべり部材の前記マットレスの長手方向の他端部側に位置する長手方向の後端部側の幅方向両端は、前記保持部材の一対の側面部の上端に連結され、後端は前記端面部の上端に連結されていることを特徴とする請求項１記載のマットレスの背上げ用寝装品。
【発明の詳細な説明】
【技術分野】
【０００１】
この発明は、長手方向の一端部側を上方へ湾曲させて利用者の上半身を起こすために用いられるマットレスの背上げ用寝装品に関する。
【背景技術】
【０００２】
たとえば、体力が低下した利用者が上半身を起こすのを支援したり、利用者が読書や食事をするためなどに上半身を起こした姿勢を維持したい場合、マットレスの長手方向の一端部側を上方へ湾曲させるようにしている。
【０００３】
前記マットレスの長手方向の一端部側を上方へ湾曲さるためには、いわゆる起床式のベッド装置を用いることが知られている（特許文献１）。また、他の手段としては、マットレスをベースユニットと、このベースユニットの上面に設けられた屈曲可能なクッション体、及びこれらを被覆した外装体によって構成する。前記ベースユニットは固定杆部と可動杆部を有し、この可動杆部を動力伝達機構を介して内蔵された駆動源で駆動することで、前記可動杆部、つまりマットレスの一端部側を起伏させることが知られている（特許文献２）。
【０００４】
上述した手段によって利用者の上半身を起こすために、マットレスの長手方向の一端部を上方へ湾曲させると、マットレスは所定の厚さ寸法を有するから、その厚さ寸法に応じて湾曲の内側となる上面には前記マットレスの長手方向の内方（中心方向）に向かう圧縮力が発生し、外面となる下面には長手方向に沿う引張力が発生する。
【０００５】
そのため、利用者の背面にはマットレスの上面で発生する圧縮力が作用し、その圧縮力によって背面が下方へ押圧され、臀部が後方（湾曲の内側）へ引き込まれるから、腹部が圧迫されるということがある。
【０００６】
そこで、マットレスを湾曲させて利用者の上半身を起こす場合、利用者の腹部に圧迫感を与えないようにするためのマットレスが実用化されている。従来のマットレスは、たとえば内装体、及び伸縮性を有する生地によって形成され前記内装体を被覆した袋状の外装体を有し、前記内装体を上下に重合される第１の層状部材と第２の層状部材によって構成するようにしている（特許文献２）。
【０００７】
それによって、前記マットレスを湾曲させたとき、前記外装体を伸長させながら上側に位置する前記第１の層状部材が第２の層状部材に対してずれ動くから、マットレスの上面に生じ、利用者の背面に加わる圧縮力がマットレスの全体の厚さに比べて低減されるようにしている。
【先行技術文献】
【特許文献】
【０００８】
【特許文献１】特許第３５２５０２７号公報
【特許文献２】特開２００９−１３６６２８号公報
【発明の概要】
【発明が解決しようとする課題】
【０００９】
ところで、背上げ時に利用者の背面に加わる圧縮力を低減させるための従来のマットレスは、上述したように内装体を滑動可能な第１の層状部材と第２の層状部材によって構成しなければならなかった。
【００１０】
すなわち、従来の背上げ用のマットレスは、背上げ時に利用者の背面に加わる圧縮力を低減するため、既存のマットレスとは異なる構造のものを採用しなければならなかった。そのため、すでにマットレスを所有している利用者の場合、背上げ用として新たなマットレスを購入しなければならないから、不便であるばかりか、コスト的にも不利であるなどのことがあった。
【００１１】
この発明は、既存のマットレスに取り付けることで、背上げ時に利用者の背面に加わる圧縮力を低減できるようにしたマットレスの背上げ用寝装品を提供することにある。
【課題を解決するための手段】
【００１２】
この発明は、上面に利用者が仰臥するとともに、利用者の上半身が位置する長手方向の一端部側が上方に向かって湾曲されるマットレスの背上げ用寝装品であって、
前記マットレスの他端部側に着脱可能に保持される保持部材と、
前記保持部材と一体的に設けられ前記保持部材を前記マットレスの他端部側に保持したときに前記マットレスの上面を覆い、その状態で前記マットレスの長手方向の一端部側を上方に向かって湾曲させると、前記マットレスの長手方向の一端部側に対応する先端部側の部分が前記利用者の荷重を受けながら前記マットレスの上面に対して滑動するすべり部材と
を具備したことを特徴とするマットレスの背上げ用寝装品にある。
【発明の効果】
【００１３】
実施の形態によれば、保持部材をマットレスの他端部側に装着すれば、前記保持部材と一体的に設けられたすべり部材がマットレスの上面に配置される。
【００１４】
それによって、マットレスの長手方向の一端部側を上方に向かって湾曲させたとき、利用者の荷重が加わった前記すべり部材がマットレスの上面に対して滑動しながら上方へ競り上がるから、マットレスの上面に生じる圧縮力が利用者の背面に加わるのを低減することができる。
【００１５】
しかも、前記保持部材を既存のマットレスの他端部に着脱可能することで、前記保持部材と一体的に設けられた前記すべり部材を、既存のマットレスに対して容易に、しかも迅速に取り付けたり、取り外すことができる。
【図面の簡単な説明】
【００１６】
【図１】この発明の第１の実施の形態に係るベッド装置を示す側面図。
【図２】図１のベッド装置のマットレス及びこのマットレスに用いられる寝装品の斜視図。
【図３】寝装品が取り付けられたマットレスの側面図。
【図４】ずれ止め部材を保持部材に連結する前の状態を示すマットレスの側面図。
【図５】マットレスの一端部側を湾曲させて上昇させた状態を示すマットレスの側面図。
【図６】上下一対のすべり部材の幅方向一端部と保持部材の側面部の上端との連結状態を、前記すべり部材を断面して示す側面図。
【図７】この発明の第２の実施の形態のすべり部材の一部を示す断面図。
【図８】この発明の第３の実施の形態を示す寝装品が取り付けられたマットレスの側面図。
【図９】この発明の第４の実施の形態示す寝装品が取り付けられたマットレスの側面図。
【発明を実施するための形態】
【００１７】
以下、この発明の実施の形態を図面を参照しながら説明する。  
（第１の実施の形態）
図１乃至図６はこの発明の第１の実施の形態を示す。図１はマットレス３１が用いられる起床式のベッド装置１を示す。このベッド装置１はベース２を備えている。このベース２は矩形枠状に形成されていて、その下面四隅部にはストッパ付きのキャスタ３が設けられている。
【００１８】
前記ベース２の上面にはベッドフレーム４が設けられている。このベッドフレーム４の長手方向一端側にはヘッドボード５ａが立設され、他端にはフットボード５ｂが立設されている。
【００１９】
前記ベッドフレーム４の上面側には床板体６が設けられている。この床板体６はベッドフレーム４の長手方向に沿って５つに分割され、その中央は前記ベッドフレーム４に固定された固定床部７となっている。
【００２０】
前記固定床部７のヘッドボード５ａ側には腰床部８と背床部９とが順次回動可能に連結されている。前記固定床部７のフットボード５ｂ側には第１の脚床部１１と第２の脚床部１２とが順次回動自在に連結されている。
【００２１】
前記ベッドフレーム４には駆動装置１３が設けられている。この駆動装置１３はケース１４を有し、このケース１４の一側には駆動モータ１５が設けられている。前記ケース１４の前記ヘッドボード５ａ側の一端部には第１の駆動軸１６が設けられ、前記フットボード５ｂ側の他端部には第２の駆動軸１７が設けられている。前記第１の駆動軸１６と第２の駆動軸１７は前記駆動モータ１５が作動することで、図中矢印で示す起立方向に回転駆動されるようになっている。
【００２２】
前記第１の駆動軸１６には第１のアーム１８の一端が連結され、前記第２の駆動軸１７には第２のアーム１９の一端が連結されている。前記第１のアーム１８の他端側には一対の第１のローラ２１が回転可能に設けられ、この第１のローラ２１は前記背床部９の背面に設けられた断面がコ字状のガイド部材２２に転動可能に係合している。前記第２のアーム１９の他端部には第２のローラ２３が回転可能に設けられ、この第２のローラ２３は前記第１の脚床部１１の下面に接触している。
【００２３】
前記駆動モータ１５の作動し、前記第１のアーム１８が起立方向に駆動されると、前記背床部９が前記第１のローラ２１によって押圧されて起上方向に回動する。それと同時に、前記背床部９の回動に前記腰床部８が連動するようになっている。
【００２４】
前記駆動モータ１５の作動により、前記第２のアーム１９が起立方向に駆動されると、前記第２のローラ２３によって前記第１の脚床部１１が前記固定床部７との連結端を支点として上昇方向に回動する。
【００２５】
前記第１の脚床部１１が上昇方向に駆動されると、この１の脚床部１１の上昇に前記第２の脚床部１２が連動するから、これら第１、第２の脚床部１１，１２がほぼへの字状に屈曲する。
【００２６】
なお、前記駆動モータ１５を作動させて前記第１の駆動軸１６を駆動したとき、前記第２の駆動軸１７を選択的に駆動させることができるようになっている。図１は前記第１の駆動軸１６だけを作動させて背床部９を上昇方向に駆動し、第１の脚床部１１と第２の脚床部１２は上昇させていない状態を示している。
【００２７】
前記床板体６の上面には前記マットレス３１が載置される。このマットレス３１は内部にウレタンフォームやスプリングなどの弾性材が収容されていて、前記床板体６の各床部が起伏駆動されることで、その起伏駆動に応じて弾性的に湾曲変形可能な構造となっている。
【００２８】
前記マットレス３１の上面には利用者Ｕが仰臥する。図１に示すように、前記床板体６の背床部９が上方に向かって駆動され、前記マットレス３１の前記背床部９側に位置する長手方向の一端部側が上方に湾曲させられたとき、このマットレス３１の湾曲の内側となる上面には圧縮力が生じ、この圧縮力は利用者Ｕの背面に作用する。
【００２９】
そこで、前記マットレス３１には、このマットレス３１の長手方向の一端部側を上方に向かって湾曲させたとき、上面に生じる圧縮力が利用者Ｕの背面に作用するのを低減させるための背上げ用寝装品３２が設けられる。この背上げ用寝装品３２は、図２に示すように保持部材３３と、上下に重合された複数、この実施の形態では２枚の上部すべり部材３４と下部すべり部材３５を有する。
【００３０】
前記保持部材３３は、比較的厚手で、伸縮性を有する布地や合成樹脂シートなどの材料によって上面が開放した袋状に形成されている。つまり、上記保持部材３３は図２乃至図６に示すように、前記マットレス３１の他端部側の下面を覆う底面部３３ａ、両側面を覆う一対の側面部３３ｂ、端面を覆う端面部３３ｃによって上述したように上面が開放した袋状に形成されている。
【００３１】
なお、前記保持部材３３は、ポリエステルなどの合成樹脂繊維からなるシート、ポリエステルニット生地、伸縮性ウレタン合皮などの比較的薄手の材料によって形成するようにしてもよい。
【００３２】
図６に示すように、重合された前記上部すべり部材３４と下部すべり部材３５は、マットレス３１の長手方向の他端部側に位置する後端側の部分の幅方向の両側端が一対の前記側面部３３ｂの上端に縫合連結され、後端が前記端面部３３ｃの上端に縫合連結されている。
【００３３】
それによって、前記保持部材３３は、前記一対のすべり部材３４の後端側の部分によって上面側が閉塞された袋状に形成されている。つまり、前記保持部材３３と前記一対のすべり部材３４は一体化されている。
【００３４】
なお、前記保持部材３３は、予め一方の端面だけが開放した袋状とし、その上面に前記一対のすべり部材３４の後端側の三側を縫合などの連結手段によって連結するようにしてもよい。
【００３５】
前記上部すべり部材３４はたとえば朱子織りの生地、ポリエステルなどの合成樹脂繊維からなるシート、ポリエステルニット生地、伸縮性ウレタン合皮などのように、滑沢性及び伸縮性のうち、少なくとも滑沢性を有するシート状の材料を、ベッドパッドのように所定の厚さ及び前記マットレス３１と長さ寸法及び幅寸法が同じ大きさを有するシート状に縫製して形成されている。
【００３６】
前記下部すべり部材３５は、前記上部すべり部材３４と同様、たとえば朱子織りの生地、ポリエステルなどの合成樹脂繊維からなるシート、ポリエステルニット生地、伸縮性ウレタン合皮などの、滑沢性及び伸縮性のうち、少なくとも滑沢性を有するシート状の材料を、ベッドパッドのように所定の厚さ及び前記マットレス３１と長さ寸法及び幅寸法が同じ大きさを有するシート状に縫製して形成されている。つまり、前記上部すべり部材３４と下部すべり部材３５の上面と下面はそれぞれ滑沢面３４ａ，３５ａとなっている。
【００３７】
それによって、前記下部すべり部材３５は、前記マットレス３１の上面に接触する下面が前記マットレス３１の上面に対して滑動し易い状態にあり、前記上部すべり部材３４と前記下部すべり部材３５の互いに接触する下面と上面は滑動し易い状態になっている。
【００３８】
つまり、前記上部すべり部材３４と下部すべり部材３５の上下面は、それぞれ滑沢面に形成されている。  
なお、前記上部すべり部材３４と下部すべり部材３５の厚さは、前記マットレス３１の厚さに比べて十分に薄く形成されている。
【００３９】
図２乃至図４に示すように、前記上部すべり部材３４の前記マットレス３１の長手方向の一端部側に位置する先端部には、布地や合成樹脂などの柔らかなシート状の材料によって前記上部すべり部材３４とほぼ同じ幅寸法に形成されたずれ止め部材４１の一端が縫合や面状ファスナなどの連結手段によって連結されている。
【００４０】
図２に示すように、前記ずれ止め部材４１の他端には複数の第１の面状ファスナ４２が所定間隔で設けられ、前記保持部材３３の底面部３３ａの開口端側の上面には前記第１の面状ファスナ４２に係着する複数の第２の面状ファスナ４３が設けられている。
【００４１】
図２に矢印Ｌで示すように、前記マットレス３１の他端部側は、前記保持部材３３の開口端側から内部に挿入される。その状態で、前記ずれ止め部材４１の他端部側は図２と図４に矢印Ｍで示すように折り曲げられて前記マットレス３１の一端部側の下面に導かれる。
【００４２】
そして、図３に示すように前記第1の面状ファスナ４３を前記第２の面状ファスナ４３に係着される。それによって、前記上部すべり部材３４及びこの下面側に位置する前記下部すべり部材３５の先端部側が前記ずれ止め部材４１によって前記マットレス３１に保持されるから、前記上部すべり部材３４と前記下部すべり部材３５の先端部側が前記マットレス３１の上面の幅方向にずれたり、前記マットレス３１の上面から浮き上がるのが防止される。
【００４３】
なお、前記ずれ止め部材４１と前記保持部材３３を連結する手段は面状ファスナに限られず、フォックなどの他の連結手段であってもよい。
【００４４】
このように、起床式のベッド装置１に用いられるマットレス３１には、上部すべり部材３４と下部すべり部材３５、及びこれらすべり部材３４，３５と一体的に設けられた袋状の保持部材３３からなる背上げ用寝装品３２の前記保持部材３３が、長手方向の一端部側が上方に向かって湾曲される前記マットレス３１の他端部側に着脱可能に装着させて設けられる。
【００４５】
それによって、前記マットレス３１上に仰臥した利用者Ｕが上半身を起こしたい場合などに、前記ベッド装置１の背床部９を上昇方向に回動させ、前記マットレス３１の一端部側を上方に湾曲させると、前記マットレス３１の上面に対して前記上部すべり部材３４と下部すべり部材３５の先端部側が前記マットレス３１の一端部の上面を滑動しながら競り上がる。
【００４６】
このとき、前記上部すべり部材３４は前記下部すべり部材３５よりも湾曲度合が大きいから、その分、前記下部すべり部材３５よりも前記マットレス３１の上面に対してすべり量が長くなる。前記上部すべり部材３４は前記下部すべり部材３５のすべり長さの違いを図５に示す。
【００４７】
このように、マットレス３１の一端部側を上方に向かって湾曲させたとき、前記上部すべり部材３４と前記下部すべり部材３５が前記マットレス３１の上面に対して滑る。
【００４８】
つまり、前記上部すべり部材３４と前記下部すべり部材３５は後端部側が前記マットレス３１の他端部に装着された前記保持部材３３と一体化されているから、前記上部すべり部材３４と前記下部すべり部材３５の先端部側が前記マットレス３１の上面に対して円滑に滑動する。
【００４９】
そのため、前記マットレス３１を湾曲させることで、その上面に圧縮力が生じても、前記上部すべり部材３４と前記下部すべり部材３５が滑動することで、前記マットレス３１の上面に生じた圧縮力が利用者Ｕの背面に伝わるのが低減される。  
つまり、利用者Ｕの背面がマットレス３１の上面に生じる圧縮力によって利用者Ｕの腹部が圧迫され難くなる。
【００５０】
また、前記背上げ用寝装品３２は、前記保持部材３３に対して２枚のすべり部材３４，３５の後端側が縫合されて一体化されている。つまり、袋状をなした前記保持部材３３を前記マットレス３１の他端部側に装着するだけで、前記背上げ用寝装品３２を前記マットレス３１に取り付けることができる。
【００５１】
そのため、前記保持部材３３と２つのすべり部材３４，３５を１つとして取り扱うことができるから、起床式のベッド装置１に用いられる既存のマットレス３１、つまり背上げ時に利用者の背面に圧縮力が加わるのを防止することができない構造のマットレス３１に対し、簡単に、しかも迅速に装着して使用することができる。
【００５２】
すなわち、従来から使用されているマットレス３１に前記保持部材３３を装着するだけで、背上げ時に利用者Ｕの背面がマットレス３１の上面に生じる圧縮力によって圧迫されるのを防止することができる。そのため、既存のマットレスを交換せずにすむから、便利であり、経済的であるばかりか、使い勝手も良好である。
【００５３】
前記上部すべり部材３４と下部すべり部材３５は、滑沢性を有するシート状の材料によって形成されている。そのため、マットレス３１を湾曲させたとき、各すべり部材３４，３５が前記マットレス３１に対して円滑に滑ることになるから、そのことによっても背上げ時に利用者Ｕの背面にマットレス３１の上面に生じる圧縮力が作用するのを防止することができる。
【００５４】
前記マットレス３１の上面の滑沢性は、使用されている布地の種類などによって前記各すべり部材３４，３５の上下面の滑沢性よりも劣る場合がある。そのような場合、前記下部すべり部材３５は前記マットレス３１の上面に対して滑り難い場合ものの、上部すべり部材３４は下部すべり部材３５に対して円滑に滑ることになる。
【００５５】
そのため、マットレス３１の外装地に滑沢性が劣る生地が用いられていても、上部すべり部材３４が下部すべり部材３５に対して確実に滑ることで、利用者Ｕの背面にマットレス３１の上面に生じる圧縮力が加わるのを確実に低減することができる。
【００５６】
前記上部すべり部材３４と下部すべり部材３５は、長さ寸法及び幅寸法が前記マットレス３１と同じ大きさに形成されている。そのため、マットレス３１の上面全体は、段差が生じることのないが均一な厚さになっているから、マットレス３１の上面に仰臥した利用者Ｕの背面に違和感を与えるということがない。
【００５７】
一端を前記上部すべり部材３４の先端に連結した前記ずれ止め部材４１は、他端部側を前記マットレス３１の下面側に導かれ、その端部を前記保持部材３３に連結している。つまり、前記上部すべり部材３４と下部すべり部材３５の前端部側は、前記ずれ止め部材４１によって前記保持部材３３を介して前記マットレス３１に保持されている。
【００５８】
そのため、背上げ時に、前記上部すべり部材３４と下部すべり部材３５が前記マットレス３１の上面を競り上がる方向に滑る際、これらすべり部材３４，３５の先端部側が前記マットレス３１の幅方向にずれるのが規制される。
【００５９】
それによって、前記すべり部材３４，３５は前記マットレス３１の上面に対して円滑に滑るから、そのことによっても利用者Ｕの背面にマットレス３１の上面に生じる圧縮力が作用するのを確実に低減することができる。
【００６０】
背上げ時に、前記上部すべり部材３４が下部すべり部材３５に対して滑ることで、前記上部すべり部材３４と前記ずれ止め部材４１には、図５に矢印Ａ，Ｂで示す方向の力が生じる。
【００６１】
そのため、矢印Ａ，Ｂで示す力によって前記上部すべり部材３４の下部すべり部材３５に対する滑りが助長される。その結果、前記上部すべり部材３４が下部すべり部材３５に対して円滑かつ確実に滑動するから、そのことによっても利用者Ｕの腹部が圧迫され難くなるということがある。
【００６２】
（第２の実施の形態）  
図７はこの発明の第２の実施の形態を示す。第１の実施の形態では、上部すべり部材３４と下部すべり部材３５を、滑沢性を有するシート状の材料をベッドパッドのようなシート状に縫製する場合を例に挙げて説明した。
【００６３】
第２の実施の形態では、上部すべり部材３４と下部すべり部材３５は、滑沢性を有するシート状の材料に縫製された袋部４５を有し、この袋部４５の内部には弾性的に湾曲するある程度の硬さ、つまりマットレス３１を湾曲させたときに腰折れすることのない硬さを有する合成樹脂などの弾性材料からなる芯材４６を収容するようにしている。
【００６４】
なお、前記袋部４５と芯材４６を縫合や接着などの手段によって一体化するようにしてもよい。
【００６５】
このようにすれば、マットレス３１の一端部側が前記ベッド装置１の背床部９によって湾曲上昇させられ、前記上部すべり部材３４と下部すべり部材３５が前記マットレス３１とともに湾曲したとき、これらすべり部材３４，３５は前記芯材４６の硬さによって腰折れすることなく、マットレス３１とともに滑らかに湾曲する。
【００６６】
そのため、下部すべり部材３５は前記マットレス３１に対して円滑に滑動し、前記上部すべり部材３５は前記下部すべり部材３４に対して円滑に滑動するから、前記マットレス３１を湾曲させたとき、前記マットレス３１の上面に生じる圧縮力が利用者Ｕの背面に伝わるのを効果的に防止できるようになる。
【００６７】
上記第２の実施の形態において、下部すべり部材３５に用いられる芯材４６の厚さを、上部すべり部材３４に用いられる芯材４６の厚さよりも厚くしてもよい。  
そのようにすることで、マットレス３１を湾曲させたとき、利用者Ｕの背面に接触する上部すべり部材３４の上面に生じる圧縮力を下部すべり部材３５の上面に生じる圧縮力よりも低減できるから、その分、利用者Ｕの背面に作用する圧縮力も低減することができる。
【００６８】
なお、上記第２の実施の形態において、下部すべり部材３５だけを袋部４５に芯材４６を収容した構成とし、上部すべり部材３４は第１の実施の形態に示された構成としてもよい。
【００６９】
（第３の実施の形態）  
図８はこの発明の第３の実施の形態を示す。この実施の形態はすべり部材を三層構造としている。つまり、上部すべり部材３４と下部すべり部材３５との間に、中間すべり部材３７を設けるようにしている。
【００７０】
すべり部材３４，３５，２７を三層構造とすることで、マットレス３１の一端部を上方へ湾曲させたときに、マットレス３１の上面に生じる圧縮力が下部すべり部材３５と中間すべり部材３７とに分散され、上部すべり部材３４に伝わり難くなるから、二層構造の場合に比べて、背上げ時に利用者Ｕの背面に加わる圧縮力を確実に低減することができる。
【００７１】
しかも、マットレス３１の上面の滑沢性が低く、下部すべり部材３５がマットレス３１の上面に対して滑り難い状態であっても、中間すべり部材３７の下面が下部すべり部材３５の上面に対して確実に滑り、上部すべり部材３４の下面が中間すべり部材３７の上面に対して確実に滑る。
【００７２】
そのため、マットレス３１の上面に対する前記上部すべり部材３４の相対的なすべり長さが十分に得られるから、そのことによっても背上げ時に利用者Ｕの背面に加わる圧縮力を確実に低減することができる。
【００７３】
（第４の実施の形態）  
図９はこの発明の第４の実施の形態を示す。この実施の形態はマットレス３１の上面に１つのすべり部材３９だけが後端部側を保持部材３３に一体的に縫合して設けられている。
【００７４】
すなわち、前記構成の背上げ用寝装品３２は、すべり部材３９が一層構造であって、このすべり部材３９は図５に示す第２の実施の形態のように、袋部４５に芯材４６を収容して構成されている。
【００７５】
前記すべり部材３９は厚手に形成されている。このすべり部材３９の前記マットレス３１の袋部４５には、長手方向の他端部側に対応する後端部側の両側部及び端部の三側に、前記袋部４５の後端部側を開閉できるファスナ４８が設けられている。
【００７６】
このような構成によれば、前記袋部４５の前記ファスナ４８を開くことで、前記芯材４６を異なるクッション性能のものに交換できるようになっている。たとえば、芯材４６を利用者Ｕの好みに応じた硬さの発泡弾性材などに交換することができる。
【００７７】
なお、上述した各実施の形態ではマットレスの一端部側を起床式のベッド装置によって上方へ湾曲させる場合を例に挙げて説明した。
【００７８】
それに代わって、マットレスの一端部側を起床式のベッド装置を用いず、［背景技術］の欄で説明しているように、内部に長手方向の一端部を湾曲させて上昇させることができる駆動機構が内蔵された構成のマットレスを用いる場合であっても、上述した各実施の形態に示された背上げ用寝装品を適用することができる。
【符号の説明】
【００７９】
１…ベッド装置、６…床板体、３１…マットレス、３２…寝装品、３３…保持部材、３４…上部すべり部材、３５…下部すべり部材、３７…中間すべり部材、３９…すべり部材、４１…ずれ止め部材、４５…袋部、４６…芯材。
【図１】
2015213638.tif 000003
【図２】
2015213638.tif 000004
【図３】
2015213638.tif 000005
【図４】
2015213638.tif 000006
【図５】
2015213638.tif 000007
【図６】
2015213638.tif 000008
【図７】
2015213638.tif 000009
【図８】
2015213638.tif 000010
【図９】
2015213638.tif 000011